【手続補正書】
【提出日】平成20年9月16日(2008.9.16)
【手続補正１】
【補正対象書類名】明細書
【補正対象項目名】特許請求の範囲
【補正方法】変更
【補正の内容】
【特許請求の範囲】
【請求項１】
出力デバイスから出力されたカラーパッチの測色値を入力する入力工程と、
前記測色値に基づき、ターゲット印刷装置に従属する第１の色空間上の信号をデバイスに独立な第２の色空間上の信号に変換するための第１の変換条件を作成する第１の作成工程と、
前記測色値に基づき、前記第２の色空間上の信号を前記出力デバイスに従属する第３の色空間上の信号に変換するための第２の変換条件を作成する第２の作成工程と、
を有し、前記第２の作成工程は、
前記第２の色空間上の信号をＲＧＢ色空間上の信号に変換する第１の工程と、該ＲＧＢ色空間上の信号を前記第３の色空間上の信号に変換する第２の工程と、
該第３の色空間上の信号における黒色の値を調整する墨量調整工程と、
を有することによって、前記第２の変換条件を作成することを特徴とする画像処理方法。
【請求項２】
前記第３の色空間はＣＭＹ色空間であり、
前記墨量調整工程においては、ＣＭＹ色空間上におけるＣＭＹＫ信号のＫ値の特性を独立に調整することを特徴とする請求項１記載の画像処理方法。
【請求項３】
前記墨量調整工程においては、所定の墨量調整関数に基づいてＫ値を調整し、調整前後におけるＫ値の差分をＣＭＹ各色値に分配することを特徴とする請求項２記載の画像処理方法。
【請求項４】
前記墨量調整関数は、Ｋ値のべき乗関数であることを特徴とする請求項３記載の画像処理方法。
【請求項５】
前記墨量調整工程においては、前記墨量調整関数に基づくＬＵＴを用いてＫ値を調整することを特徴とする請求項４記載の画像処理方法。
【請求項６】
更に、前記墨量調整関数を設定する設定工程を有することを特徴とする請求項３記載の画像処理方法。
【請求項７】
前記第２の工程は、
ＲＧＢ色空間上の信号を反転することによってＣＭＹ色空間上の信号に変換し、
該ＣＭＹ色空間上の信号にガンマ変換を施し、
該ガンマ変換後の信号に補間演算を施す
ことを特徴とする請求項２記載の画像処理方法。
【請求項８】
前記補間演算は、ＣＭＹ色空間上における所定のグリッドに対応するＣＭＹＫ信号値に基づく演算であることを特徴とする請求項７記載の画像処理方法。
【請求項９】
前記所定のグリッドは、ＣＭＹ色空間上においてＲ，Ｇ，Ｂ，Ｃ，Ｍ，Ｙ，Ｗ，Ｂｋの各色に対応する８点のグリッドであることを特徴とする請求項８記載の画像処理方法。
【請求項１０】
前記所定のグリッドに対応するＣＭＹＫ信号値は、前記出力デバイスの特性に応じたトナー量を考慮して設定されていることを特徴とする請求項８または９記載の画像処理方法。
【請求項１１】
前記設定工程においては、更に、前記ガンマ変換におけるガンマ値、及びトナー量を設定することを特徴とする請求項６記載の画像処理方法。
【請求項１２】
前記測色値の前記第２の色空間上における分布を解析し、該解析結果に基づいて前記ガンマ変換におけるガンマ値を決定する解析工程を有することを特徴とする請求項７記載の画像処理方法。
【請求項１３】
前記第１及び第２の変換条件は、色変換用のルックアップテーブルであることを特徴とする請求項１記載の画像処理方法。
【請求項１４】
デバイスに独立な均等色空間上の信号とデバイスに従属するＣＭＹ色空間上の信号との変換条件を、該デバイスより出力されたカラーパッチの測色値に基づいて作成する画像処理方法であって、
前記測色値に応じた均等色空間上の信号を一旦ＲＧＢ色空間上の信号に変換し、該ＲＧＢ色空間上の信号をＣＭＹ色空間上のＣＭＹＫ信号に変換する際にＫ値を調整するように、前記変換条件を作成することを特徴とする画像処理方法。
【請求項１５】
前記Ｋ値の調整は、ユーザ指示に基づいて設定された墨量調整関数により行われることを特徴とする請求項１４記載の画像処理方法。
【請求項１６】
黒成分を含む複数の色成分データで示されるデバイス依存の色データに基づき、出力デバイスによって作成されたパッチの測色値を入力し、
前記測色値から、黒成分を含まない複数の色成分データで示されるデバイス依存の色データをデバイス非依存の色データに変換する第１のルックアップテーブルを作成し、
前記第１のルックアップテーブルを参照して、前記デバイス非依存の色データを前記黒成分を含む複数の色成分データで示されるデバイス依存の色データに変換する第２のルックアップテーブルを作成する画像処理方法であって、
記録材の総量を制御するための記録材総量条件および黒成分データの作成方法に関する墨量調整条件を入力し、
前記記録材総量条件および前記墨量調整条件から求められる変換条件であり、前記黒成分を含まない複数の色成分データで示されるデバイス依存の色データを前記黒成分を含む複数の色成分データで示されるデバイス依存の色データに変換する変換条件を用いて、前記第１および前記第２のルックアップテーブルを作成することを特徴とする画像処理方法。
【請求項１７】
前記記録材総量条件は、黒記録材量および２次色記録材量の各々に対する総量が含まれることを特徴とする請求項１６記載の画像処理方法。
【請求項１８】
前記墨量調整条件は、ユーザが任意に変換曲線を設定できることを特徴とする請求項１６記載の画像処理方法。
【請求項１９】
さらに、
階調補正ガンマ条件を入力し、
前記階調補正ガンマ条件を用いて前記変換条件を求める
ことを特徴とする請求項１６記載の画像処理方法。
【請求項２０】
さらに、
前記測色値から、前記黒成分を含む複数の色成分データで示されるデバイス依存の色データを前記前記デバイス非依存の色データに変換する第３のルックアップテーブルを作成し、
前記第３のルックアップテーブルおよび前記第２のルックアップテーブルを保存する
ことを特徴とする請求項１６記載の画像処理方法。
【請求項２１】
コンピュータに、請求項１乃至２０の何れか一項に記載の画像処理方法の各工程を実行させるためのプログラム。
【請求項２２】
請求項２１記載のプログラムを記録したコンピュータ可読の記録媒体。
【請求項２３】
黒成分を含む複数の色成分データで示されるデバイス依存の色データに基づき、ターゲットデバイスによって作成されたパッチの測色値を入力する手段と、
前記測色値から、黒成分を含まない複数の色成分データで示されるデバイス依存の色データをデバイス非依存の色データに変換する第１のルックアップテーブルを作成する手段と、
前記第１のルックアップテーブルを参照して、前記デバイス非依存の色データを前記黒成分を含む複数の色成分データで示されるデバイス依存の色データに変換する第２のルックアップテーブルを作成する手段と、
記録材の総量を制御するための記録材総量条件および黒成分データの作成方法に関する墨量調整条件を入力する手段と、
を有し、
前記記録材総量条件および前記墨量調整条件から求められる変換条件であり、前記黒成分を含まない複数の色成分データで示されるデバイス依存の色データを前記黒成分を含む複数の色成分データで示されるデバイス依存の色データに変換する変換条件を用いて、前記第１および前記第２のルックアップテーブルを作成することを特徴とする画像処理装置。
【手続補正２】
【補正対象書類名】明細書
【補正対象項目名】０００８
【補正方法】変更
【補正の内容】
【０００８】
すなわち、画像処理方法において、出力デバイスから出力されたカラーパッチの測色値を入力する入力工程と、前記測色値に基づき、ターゲット印刷装置に従属する第１の色空間上の信号をデバイスに独立な第２の色空間上の信号に変換するための第１の変換条件を作成する第１の作成工程と、前記測色値に基づき、前記第２の色空間上の信号を前記出力デバイスに従属する第３の色空間上の信号に変換するための第２の変換条件を作成する第２の作成工程と、を有し、前記第２の作成工程は、前記第２の色空間上の信号をＲＧＢ色空間上の信号に変換する第１の工程と、該ＲＧＢ色空間上の信号を前記第３の色空間上の信号に変換する第２の工程と、該第３の色空間上の信号における黒色の値を調整する墨量調整工程と、を有することによって、前記第２の変換条件を作成する。
【手続補正３】
【補正対象書類名】明細書
【補正対象項目名】０００９
【補正方法】変更
【補正の内容】
【０００９】
または、画像処理方法において、黒成分を含む複数の色成分データで示されるデバイス依存の色データに基づき、出力デバイスによって作成されたパッチの測色値を入力し、前記測色値から、黒成分を含まない複数の色成分データで示されるデバイス依存の色データをデバイス非依存の色データに変換する第１のルックアップテーブルを作成し、前記第１のルックアップテーブルを参照して、前記デバイス非依存の色データを前記黒成分を含む複数の色成分データで示されるデバイス依存の色データに変換する第２のルックアップテーブルを作成する画像処理方法であって、記録材の総量を制御するための記録材総量条件および黒成分データの作成方法に関する墨量調整条件を入力し、前記記録材総量条件および前記墨量調整条件から求められる変換条件であり、前記黒成分を含まない複数の色成分データで示されるデバイス依存の色データを前記黒成分を含む複数の色成分データで示されるデバイス依存の色データに変換する変換条件を用いて、前記第１および前記第２のルックアップテーブルを作成する。
【手続補正４】
【補正対象書類名】明細書
【補正対象項目名】００１０
【補正方法】変更
【補正の内容】
【００１０】
上記目的を達成するための一手法として、本発明の画像処理装置は以下の手段を有する。
すなわち、画像処理装置において、黒成分を含む複数の色成分データで示されるデバイス依存の色データに基づき、ターゲットデバイスによって作成されたパッチの測色値を入力する手段と、前記測色値から、黒成分を含まない複数の色成分データで示されるデバイス依存の色データをデバイス非依存の色データに変換する第１のルックアップテーブルを作成する手段と、前記第１のルックアップテーブルを参照して、前記デバイス非依存の色データを前記黒成分を含む複数の色成分データで示されるデバイス依存の色データに変換する第２のルックアップテーブルを作成する手段と、記録材の総量を制御するための記録材総量条件および黒成分データの作成方法に関する墨量調整条件を入力する手段と、を有し、前記記録材総量条件および前記墨量調整条件から求められる変換条件であり、前記黒成分を含まない複数の色成分データで示されるデバイス依存の色データを前記黒成分を含む複数の色成分データで示されるデバイス依存の色データに変換する変換条件を用いて、前記第１および前記第２のルックアップテーブルを作成する。